(57)【特許請求の範囲】
【請求項１】
浴室の出入り口の下端の下枠の上面を浴室外側が高く浴室内側が低くなる傾斜面とし、下枠の上面上に下枠の長手方向に２つに分割した下レール体を支持ブロックを介して着脱自在に支持し、下枠の幅方向の略中央に支持ブロックを固定する立ち上げ片を設け、出入り口に開閉自在に配置した戸の下端部を下レール体に走行自在に支持し、下レール体に下レール体上面の水を下枠の傾斜面に流す通水孔を設けて成ることを特徴とする浴室の出入り口の下レール部分の構造。
【請求項２】
下枠や下レール体の浴室内側に排水樋を設け、排水樋の上面開口にこの開口を閉塞する目皿を設け、下レール体の排水樋側に上突片と下突片とよりなる支持部を設け、目皿の縁部を支持部の上突片と下突片との間に挿入して下突片上に載せ、支持部の下突片の上面に目皿の縁部の載置する面であることを表示する目印シールを取着して成ることを特徴とする請求項１記載の浴室の出入り口の下レール部分の構造。
【発明の詳細な説明】
【０００１】
【発明の属する技術分野】
本発明は浴室の出入り口の下レール部分の構造に関するものである。
【０００２】
【従来の技術】
一般に浴室の出入り口の下部に設ける下枠は浴室外側が高く浴室内側が低くなるように傾斜面として浴室内側に水が流れやすいようにしてあり、また下枠の上面には出入り口を開閉するための引戸のような戸を走行自在に設けるためにレール突条等を一体に設けてあり、またレール突条には通水孔を設けてある。
【０００３】
【発明が解決しようとする課題】
ところが、上記のように下枠の上面にレール突条等を設けて引戸のような戸を走行自在に支持するようにすると、下枠の上面の形状が複雑になり、汚れたりした場合掃除がしにくくなるという問題があった。
【０００４】
本発明は上記の点に鑑みてなされたものであり、下レール体を取り外して容易に清掃ができる浴室の出入り口の下レール部分の構造を提供することを課題とするものである。
【０００５】
【課題を解決するための手段】
上記課題を解決するための本発明の請求項１の浴室の出入り口の下レール部分の構造は、浴室１の出入り口２の下端の下枠３の上面を浴室外側が高く浴室内側が低くなる傾斜面４とし、下枠３の上面上に下枠３の長手方向に２つに分割した下レール体５を支持ブロック９を介して着脱自在に支持し、下枠３の幅方向の略中央に支持ブロック９を固定する立ち上げ片１０を設け、出入り口２に開閉自在に配置した戸６の下端部を下レール体５に走行自在に支持し、下レール体５に下レール体５上面の水を下枠３の傾斜面４に流す通水孔７を設けて成ることを特徴とする。下枠３の上に取り付けた下レール体５にて戸６を走行自在に支持できる。下レール体５上の水は通水孔７から下枠３の傾斜面４に流し、傾斜面４にて浴室内側に流すことができる。また下レール体５を取り外すことで下レール体５を容易に清掃できると共に下枠３の上面を容易に掃除をすることができる。また下枠３の上に支持ブロック９にて下レール体５を支持することができる。また下レール体５を支持する支持ブロック９を下枠３に容易に支持することができる。
【０００７】
また本発明の請求項２の浴室の出入り口の下レール部分の構造は、請求項１において、下枠３や下レール体５の浴室内側に排水樋１１を設け、排水樋１１の上面開口にこの開口を閉塞する目皿１２を設け、下レール体５の排水樋１１側に上突片１３ａと下突片１３ｂとよりなる支持部１３を設け、目皿１２の縁部を支持部１３の上突片１３ａと下突片１３ｂとの間に挿入して下突片１３ｂに載せ、支持部１３の下突片１３ｂの上面に目皿１２の縁部の載置する面であることを表示する目印シール１５を取着して成ることを特徴とする。目皿１２の縁部を支持部１３の上突片１３ａと下突片１３ｂとの間に挿入して下突片１３ｂに載せることにより、目皿１２が上下にがたついたりしないように目皿１２を安定よく取り付けることができる。また目皿１２の縁部を支持部１３に支持するとき下突片１３ｂの目印シール１５を目印として下突片１３ｂに載せることができ、上突片１３ａに載せてしまうという誤セットを防止できる。
【０００８】
【発明の実施の形態】
図１乃至図３に示すように浴室１の出入り口２の部分には下部の下枠３と上部の上枠１６と両側の側枠１７とで矩形状になる戸枠を装着してあり、下枠３の上面上には下レール体５を装着してあり、上枠１６の下面の下方には上レール体８を装着してあり、上レール体８と下レール体５との間には戸６を走行自在に装着して出入り口２を開閉自在にしてある。図でＡは浴室内側でＢは脱衣所等の浴室外側である。本例の場合、戸６は３枚の引戸６ａ，６ｂ，６ｃにて形成されている。３枚の引戸６ａ，６ｂ，６ｃのうち引戸６ａは固定であり、軸１８を上レール体８や下レール体５の軸穴１９に嵌合して走行しないように装着してある。引戸６ｂ，６ｃは走行自在に装着されるものであり、引戸６ｂ，６ｃの上部に設けたローラ２０を上レール体８の走行支持部２１に係合させて走行自在に吊り支持ある。また引戸６ｂ，６ｃの下部のガイド凹部２２は下レール体５のガイド突条２３に摺動自在に嵌合してあり、引戸６ｂ，６ｃの下部を下レール体５にてガイドできるようになっている。引戸６ｃには把手２４を設けてあり、把手２４を持って引戸６ｃを開閉することができ、引戸６ｃに連動して引戸６ｂも開閉操作できるようになっている。また上レール体８には引戸６ａ，６ｂ，６ｃとの間のシールをするシール材２４を装着してあり、引戸６ａ，６ｂ，６ｃにはこれらの間を上下方向にシールするシール材２５を装着してある。下枠３の上には下レール体５が装着されるが、下レール５の上面は浴室内側の床面や浴室外側の床面と略面一となっている。
【０００９】
下枠３は図８に示すような断面形状に形成されるものであり、上面には浴室内側が低く、浴室外側が高くなるように傾斜した傾斜面４を設けてあり、傾斜面４の幅方向の略中央には立ち上げ片１０を上方に突出するように設けてある。この立ち上げ片１０の下部には傾斜面を流れる水を通す透孔２６を長手方向の適宜位置に設けてある。立ち上げ片１０の上端にはタッピングホール２７を長手方向に亙って設けてあり、立ち上げ片１０の下部には係止切欠２８を適宜位置で設けてある。
【００１０】
下レール体５は図９、図１０に示すような断面形状に形成されるので、３条の断面略逆Ｕ字状のレール突条２３が平行に設けられており、レール突条２３間には夫々断面略Ｕ字状の溝部２９を凹設してあり、溝部２９の中央には長手方向に亙って仕切り突部３０を設けてある。仕切り突部３０で仕切られた溝部２９の底面には夫々水密材３１を装着してある。この水密材３１を装着する位置は引戸６ａ，６ｂ，６ｃを閉じたとき引戸６ａと引戸６ｂの間に位置する部分や引戸６ｂと引戸６ｃとの間に位置する部分であり、引戸６ａ，６ｂ，６ｃを閉じたときの下レール体５の部分で水密を維持するようになっており、また引戸６ａ，６ｂ，６ｃの開閉で溝部２９の長手方向に水が流れて水が浴室外に出るのを防止するようになっている。下レール体５には溝部２９等の底面から下に水を流す通水孔７を穿孔してある。下枠３と下レール体５を取り付け施工する前は図７に示すように下枠３の上に下レール体５を載せ、周囲に粘着テープのようなテープ３２を巻回して梱包することで搬送される。
【００１１】
下レール体５は上記のように構成されるが、図５に示すように引戸の略１枚分の幅に相当する長さの下レール体５ａと引戸の略２枚分の幅に相当する長さの下レール体５ｂとに分割してある。下レール体５ａ，５ｂを下枠３の上に着脱自在に載設するとき下枠３の上に支持ブロック９を装着し、支持ブロック９に下レール体５ａ，５ｂを載設して支持してある。支持ブロック９には継ぎ目に装着する継ぎ目用支持ブロック９ａと端部に装着する端部用支持ブロック９ｂとがある。継ぎ目用支持ブロック９ａは下レール体５ａと下レール体５ｂとの継ぎ目部分で下枠３に装着され、端部用支持ブロック９ｂは下枠３の長手方向の両端に装着される。継ぎ目用支持ブロック９ａは下レール体５と同じ断面形状のレール部３３の両側に段落ちした嵌合部３４を設けて形成されており、端部用支持ブロック９ｂは下レール体５と同じ断面形状のレール部３３の片側に段落ちした嵌合部３４を設けて形成されている。支持ブロック９を下枠３に取り付けるとき図６に示すように立ち上がり片１０に支持ブロック９の凹部３５が被嵌され、立ち上がり片１０のタッピングホール２７の開口に凹部３５内の嵌合突部３５ａが嵌合され、立ち上がり片１０の係止切欠２８に凹所３５内の係止突起３５ｂが係止されて支持ブロック９が外れないように取り付けられる。上記のように支持ブロック９を取り付けた状態で継ぎ目用支持ブロック９ａと端部用支持ブロック９ｂとの間に夫々下レール体５ａ，５ｂが配置され、下レール体５ａ，５ｂの長手方向の端部が継ぎ目用支持ブロック９ａや端部用支持ブロック９ｂの嵌合部３４に被嵌されて下レール体５ａ，５ｂが取り付けられる。このように下レール体５ａ，５ｂを取り付けることにより引戸６ｂ，６ｃを開閉するときガイドすることができるが、下レール体５ｂが汚れたりして掃除する場合、引戸６ｂ，６ｃを開き、下レール体５ｂを取り外し、下レール５ｂ自体を清掃すると共に下枠３の上面を掃除でき、容易に掃除をすることができる。
【００１２】
浴室１の防水床パン３６の出入り口２に対応する部分には切り欠きを設けてあり、この切り欠き縁と下レール体５との間には図１１に示すように開口部３７を設けてあり、開口部３７の下方には排水樋１１を配置してある。この排水樋１１は断面略Ｕ字状に形成されており、排水樋１１の両側の側壁を下枠３や防水床パン３６に装着してある。開口部３７には目皿１２を着脱自在に被着してあり、目皿１２にはヘアーキャッチャー４１を装着してある。目皿１２を被着するとき目皿１２の一方の縁部の被支持縁３８を下レール体５の支持部１３に支持して取り付けられる。下レール体５に設ける支持部１３は図９に示すように上下に間隔を隔てた上突片１３ａと下突片１３ｂとで形成され、下突片１３ｂの上に被支持縁３８を載置する面であることを表示する目印シール１５を貼ってある。そして目皿１２を取り付けるとき被支持縁３８を上突片１３ａと下突片１３ｂとの間に挿入し、被支持縁３８を下突片１３ｂの上に載置する。このように被支持縁３８を支持部１３の上突片１３ａと下突片１３ｂとの間に挿入することで目皿１２が上下にがたつかないように取り付けることができる。また目印シール１５を目印として下突片１３ｂに被支持縁３８を載置するために被支持縁３８を上突片１３ａの上に誤って載せるという誤セットのおそれがない。
【００１３】
浴室１の防水床パン３６から出入り口２の方に行く水は目皿１２からヘアーキャッチャー４１を介して排水樋１１内に排水される。下レール体５の上の水は通水孔７から下枠３の傾斜面４に落ち、傾斜面４及び透孔２６を介して下レール体５の切欠部４０から排水樋１１内に排水される。
【００１４】
【発明の効果】
上記のように本発明は、浴室の出入り口の下端の下枠の上面を浴室外側が高く浴室内側が低くなる傾斜面とし、下枠の上面上に下枠の長手方向に２つに分割した下レール体を着脱自在に支持し、出入り口に開閉自在に配置した戸の下端部を下レール体に走行自在に支持し、下レール体に下レール体上面の水を下枠の傾斜面に流す通水孔を設けているので、下枠の上に取り付けた下レール体にて戸を走行自在に支持できると共に下レール体上の水は通水孔から下枠の傾斜面に流し、傾斜面にて浴室内側に流すことができるのは勿論、下レール体を取り外すことで下レール体を容易に清掃できると共に下枠の上面を容易に掃除をすることができるものであり、また下枠の上に支持ブロックにて下レール体を支持することができるものであり、また下レール体を支持する支持ブロックを下枠に容易に支持することができるものである。
【図面の簡単な説明】
【図１】本発明の実施の形態の一例の一部切欠縦断面図である。
【図２】同上の正面図である。
【図３】同上の一部切欠横断面図である。
【図４】同上の下枠に下レール体を取り付けた状態の斜視図である。
【図５】同上の分解斜視図である。
【図６】（ａ）は同上の下枠に支持ブロックを取り付けた状態の断面図、（ｂ）は（ａ）の要部の分解断面図である。
【図７】同上の下枠と下レール体の梱包状態の断面図である。
【図８】同上の下枠の拡大断面図である。
【図９】同上の下レール体の一部切欠斜視図である。
【図１０】同上の下レール体の断面図である。
【図１１】同上の排水樋に排水する部分の構造を示す断面図である。
【符号の説明】
１  浴室
２  出入り口
３  下枠
４  傾斜面
５  下レール体
６  戸
７  通水孔
９  支持ブロック
１０  立ち上げ片
１１  排水樋
１２  目皿
１３  支持部
１３ａ  上突片
１３ｂ  下突片
１４  目皿
１５  目印シール
【図１】
0003546731.tif 000002
【図２】
0003546731.tif 000003
【図３】
0003546731.tif 000004
【図４】
0003546731.tif 000005
【図５】
0003546731.tif 000006
【図６】
0003546731.tif 000007
【図７】
0003546731.tif 000008
【図８】
0003546731.tif 000009
【図９】
0003546731.tif 000010
【図１０】
0003546731.tif 000011
【図１１】
0003546731.tif 000012